(57)【要約】【課題】着用者の股間に好適に装着することができ、尿等の漏れを効果的に防止できる吸収性物品を提供する。【解決手段】トップシート２とバックシート３とこれらの間に設けられた吸収体４を有する吸収性物品１であって、トップシート２の幅方向ｘの両側に立ち上がりフラップ６が設けられ、立ち上がりフラップ６は、前側固定部６Ｆと後側固定部６Ｂとこれらの間の中間部６Ｍを有し、少なくとも中間部６Ｍに前後方向ｙに延びるフラップ弾性部材７が設けられ、前側固定部６Ｆと後側固定部６Ｂがトップシート２に接合されることにより中間部６Ｍが起立可能に形成され、トップシート２の肌面側には、前側固定部６Ｆの後側端よりも前側および後側固定部６Ｂの前側端よりも後側にそれぞれ粘着部９が設けられ、バックシート３の非肌面側には、前側固定部６Ｆの後側端よりも後側かつ後側固定部６Ｂの前側端よりも前側に滑り止め部１０が設けられている。【選択図】図１
2020156578.tif 000002
【特許請求の範囲】
【請求項１】
前後方向と幅方向を有し、トップシートとバックシートとこれらの間に設けられた吸収体を有する吸収性物品であって、
前記トップシートの幅方向の両側に立ち上がりフラップが設けられ、
前記立ち上がりフラップは、前側固定部と後側固定部とこれらの間の中間部を有し、少なくとも中間部に前後方向に延びるフラップ弾性部材が設けられ、前側固定部と後側固定部がトップシートに接合されることにより中間部が起立可能に形成され、
前記トップシートの肌面側には、前記前側固定部の後側端よりも前側および前記後側固定部の前側端よりも後側にそれぞれ粘着部が設けられ、
前記バックシートの非肌面側には、前記前側固定部の後側端よりも後側かつ前記後側固定部の前側端よりも前側に滑り止め部が設けられていることを特徴とする吸収性物品。
【請求項２】
前記滑り止め部は、前後方向に並んで複数設けられている請求項１に記載の吸収性物品。
【請求項３】
前記粘着部は、前記吸収体の前側端と重なって設けられるか、前記前側端よりも前側に設けられ、前記吸収体の後側端と重なって設けられるか、前記後側端よりも後側に設けられている請求項１または２に記載の吸収性物品。
【請求項４】
前記吸収体は高剛性部と低剛性部とを有し、高剛性部と低剛性部はそれぞれ前後方向に延在し、高剛性部と低剛性部が幅方向に交互に並んで配されており、
前記滑り止め部は、複数の前記高剛性部に跨がって設けられている請求項１〜３のいずれか一項に記載の吸収性物品。
【請求項５】
前記吸収体は、シート部材の間に吸水性樹脂を有しパルプ繊維を有しないように構成され、シート部材どうしが接合された封止部と、シート部材どうしが接合されない非封止部とを有し、前記非封止部に吸水性樹脂が配されており、
前記封止部が前記低剛性部を形成し、前記非封止部が前記高剛性部を形成している請求項４に記載の吸収性物品。
【請求項６】
前記滑り止め部は、前記吸収体よりも幅方向に狭く形成されている請求項１〜５のいずれか一項に記載の吸収性物品。
【請求項７】
前記吸収性物品は、肌面側を内側にして、幅方向に延びる第１の折り目とそれより後側に位置する第２の折り目で折り返されることにより前後方向に３つ折りされ、
前記粘着部は、前記第１の折り目よりも前側および前記第２の折り目よりも後側にそれぞれ設けられている請求項１〜６のいずれか一項に記載の吸収性物品。
【請求項８】
前記滑り止め部は、前記第１の折り目から前後方向に１０ｍｍ以内の領域に設けられ、前記第２の折り目から前後方向に１０ｍｍ以内の領域に設けられている請求項７に記載の吸収性物品。
【発明の詳細な説明】
【技術分野】
【０００１】
本発明は、尿パッド、失禁パッド、生理用ナプキン等の吸収性物品に関するものであり、特に、パンツやショーツ等の下着に設置して使用することができる吸収性物品に関するものである。
【背景技術】
【０００２】
従来、吸収性物品の非肌面側に粘着部が設けられ、この粘着部によってパンツやショーツ等の下着の肌面側に設置して使用する吸収性物品が知られている（例えば、特許文献１）。また、吸収性物品の肌面側と非肌面側にそれぞれ粘着部が設けられた吸収性物品も知られている（例えば、特許文献２）。さらに、吸収性物品の非肌面側に滑り止め部が設けられた吸収性物品も知られている（例えば、特許文献３）。
【先行技術文献】
【特許文献】
【０００３】
【特許文献１】特表平１１−５０６３６５号公報
【特許文献２】特開２００４−１３５８８４号公報
【特許文献３】特開２００８−１１９３２号公報
【発明の概要】
【発明が解決しようとする課題】
【０００４】
上記のように、パンツやショーツ等の下着の肌面側に設置して使用する吸収性物品には、粘着部や滑り止め部が設けられたものが様々知られているが、このような吸収性物品は、着用者の股間の肌と下着の間に好適に設置できるとともに、着用者から排泄された尿等を確実に吸収し、尿等の漏れを効果的に防止することが望まれる。本発明は前記事情に鑑みてなされたものであり、その目的は、着用者の股間に好適に装着することができ、尿等の漏れを効果的に防止できる吸収性物品を提供することにある。
【課題を解決するための手段】
【０００５】
前記課題を解決することができた本発明の吸収性物品とは、前後方向と幅方向を有し、トップシートとバックシートとこれらの間に設けられた吸収体を有する吸収性物品であって、トップシートの幅方向の両側に立ち上がりフラップが設けられ、立ち上がりフラップは、前側固定部と後側固定部とこれらの間の中間部を有し、少なくとも中間部に前後方向に延びるフラップ弾性部材が設けられ、前側固定部と後側固定部がトップシートに接合されることにより中間部が起立可能に形成され、トップシートの肌面側には、前側固定部の後側端よりも前側および後側固定部の前側端よりも後側にそれぞれ粘着部が設けられ、バックシートの非肌面側には、前側固定部の後側端よりも後側かつ後側固定部の前側端よりも前側に滑り止め部が設けられているところに特徴を有する。
【０００６】
本発明の吸収性物品は、トップシートの肌面側に設けられた粘着部によって着用者の股間部の肌に貼り付けることができ、着用者の股間の所望の位置に密着性良く設置することができる。この際、前側固定部の後側端よりも前側および後側固定部の前側端よりも後側に粘着部を設けることによって、立ち上がりフラップの中間部を好適に起立させることができるため、尿等の横漏れを効果的に防止することができる。また、粘着部は排尿部から離れた位置に設けられるため、粘着部が尿等によって濡れにくくなり、粘着力を長く持続させやすくなる。一方、バックシートの非肌面側に設けられた滑り止め部によって、吸収性物品をパンツやショーツ等の下着の所定の位置に設置することができ、吸収性物品が下着からはみ出したりすることを防ぐことができる。また、粘着部ではなく滑り止め部をバックシートの非肌面側に設けることにより、バックシートと下着との間のずれ応力が大きくなったときに、当該ずれ応力を緩和するように互いの接触位置をずらすことができ、吸収性物品や下着に大きな歪みやしわが生じにくくなる。そのため、本発明の吸収性物品によれば、着用者の股間に好適に装着することができ、尿等の漏れを効果的に防止できる。
【０００７】
滑り止め部は、前後方向に並んで複数設けられていることが好ましい。このように滑り止め部を設けることにより、吸収性物品を前後方向に湾曲させることが容易になり、吸収性物品の着用者の股間部へのフィット性を高めることができる。
【０００８】
粘着部は、吸収体の前側端と重なって設けられるか、前側端よりも前側に設けられ、吸収体の後側端と重なって設けられるか、後側端よりも後側に設けられていることが好ましい。このように粘着部を設けることにより、吸収性物品を安定して着用者の肌に貼り付けることができる。また、吸収体のより広い範囲が尿等の吸収に寄与できるものとなる。
【０００９】
吸収体は高剛性部と低剛性部とを有し、高剛性部と低剛性部はそれぞれ前後方向に延在し、高剛性部と低剛性部が幅方向に交互に並んで配されており、滑り止め部が複数の高剛性部に跨がって設けられているものであってもよい。このように吸収体が形成されていれば、吸収性物品が着用者の両大腿部に挟まれて幅方向の内方に向かう力がかかっても、吸収体に不規則な折り目が形成されにくくなり、幅方向の内方に向かう力を好適に吸収することができる。また滑り止め部が複数の高剛性部に跨がって設けられることにより、吸収性物品に幅方向への剛性が付与され、吸収性物品の幅方向の内方に向かう力が解除されると、吸収性物品がもとの平面状に広がりやすくなる。
【００１０】
吸収体は、シート部材の間に吸水性樹脂を有しパルプ繊維を有しないように構成され、シート部材どうしが接合された封止部と、シート部材どうしが接合されない非封止部とを有し、非封止部に吸水性樹脂が配されているものであってもよい。この場合、封止部が低剛性部を形成し、非封止部が高剛性部を形成することができる。
【００１１】
滑り止め部は、吸収体よりも幅方向に狭く形成されていることが好ましい。このように滑り止め部を設けることにより、吸収性物品の幅方向の両端部の下着の動きへの滑り性が高まる。そのため、吸収性物品を下着に取り付けた状態で着用者が大腿部を大きく動かしても、吸収性物品に歪みが生じにくくなる。
【００１２】
吸収性物品は、肌面側を内側にして、幅方向に延びる第１の折り目とそれより後側に位置する第２の折り目で折り返されることにより前後方向に３つ折りされるものであってもよい。この場合、粘着部は、第１の折り目よりも前側および第２の折り目よりも後側にそれぞれ設けられていることが好ましい。このように折り畳まれた吸収性物品は、吸収性物品の折り畳みを展開して着用者の股間に取り付ける際、第１の折り目と第２の折り目の折り癖によって、吸収性物品の第１の折り目よりも前側の部分および第２の折り目よりも後側の部分が着用者の肌に向かって立ち上がりやすくなる。そのため、当該部分に粘着部を設けることにより、粘着部によって吸収性物品を着用者の肌に好適に取り付けやすくなる。
【００１３】
滑り止め部は、第１の折り目から前後方向に１０ｍｍ以内の領域に設けられ、第２の折り目から前後方向に１０ｍｍ以内の領域に設けられていることが好ましい。第１の折り目とその近傍および第２の折り目とその近傍では、折り畳まれた吸収性物品を展開した際に、当該部分で吸収性物品が下着と接しやすくなる。従って、第１の折り目またはその近傍および第２の折り目またはその近傍に滑り止め部を設けることにより、吸収性物品をパンツやショーツ等の下着の所定の位置に固定させやすくなる。
【発明の効果】
【００１４】
本発明の吸収性物品によれば、着用者の股間の所望の位置に密着性良く装着することができ、尿等の漏れを効果的に防止できる。
【図面の簡単な説明】
【００１５】
【図１】本発明の吸収性物品の一例を表し、吸収性物品を肌面側から見た平面図を表す。
【図２】図１に示した吸収性物品を非肌面側から見た平面図を表す。
【図３】図１および図２に示した吸収性物品のＩＩＩ−ＩＩＩ断面図を表す。
【図４】吸収性物品の幅方向断面図の他の一例を表す。
【図５】図１〜図３に示した吸収性物品であって、前後方向に３つ折りされる吸収性物品を肌面側から見た平面図を表す。
【図６】図５に示した吸収性物品を非肌面側から見た平面図を表す。
【発明を実施するための形態】
【００１６】
本発明の吸収性物品について、図面を参照して説明する。なお本発明は、図面に示された実施態様に限定されるものではない。
【００１７】
図１〜図３には、本発明の吸収性物品の一例として、失禁パッドの構成例を示した。図１は、吸収性物品（失禁パッド）を肌面側から見た平面図を表し、図２は、図１に示した吸収性物品を非肌面側から見た平面図を表し、図３は、図１および図２に示した吸収性物品のＩＩＩ−ＩＩＩ断面図を表す。本願の図では、矢印ｘが幅方向、矢印ｙが前後方向を表し、矢印ｘ，ｙにより形成される面に対して垂直方向が厚み方向ｚを表す。図１および図２では、図面の上側が吸収性物品の前側に相当し、図面の下側が吸収性物品の後側に相当する。
【００１８】
吸収性物品１は、トップシート２とバックシート３とこれらの間に設けられた吸収体４とを有する。トップシート２は吸収体４の肌面側に配され、バックシート３は吸収体４の非肌面側に配されている。トップシート２を透過した排泄物は、吸収体４により収容される。バックシート３は排泄物が外へ漏れるのを防いでいる。
【００１９】
吸収性物品１は、前後方向ｙと幅方向ｘを有する。前後方向ｙとは、吸収性物品を着用した際に着用者の股間の前後方向に延びる方向に相当する。幅方向ｘとは、吸収性物品と同一面上にあり前後方向ｙと直交する方向を意味し、吸収性物品を着用した際の着用者の左右方向に相当する。また、吸収性物品を着用者が着用した際に、着用者の肌に向かう側を肌面側とし、その反対側を非肌面側とする。
【００２０】
トップシート２は吸収体４の肌面側に配され、吸収性物品の着用の際に着用者の肌に面するように設けられる。トップシート２は、液透過性であることが好ましい。トップシート２としては、例えば、セルロース、レーヨン、コットン等の親水性繊維から形成された不織布や；ポリオレフィン（例えば、ポリプロピレン、ポリエチレン）、ポリエステル（例えば、ＰＥＴ）、ポリアミド（例えば、ナイロン）等の疎水性繊維から形成された不織布であって、疎水性繊維の表面が界面活性剤により親水化されたもの等を用いることができる。また、トップシート２として、織布、編布、有孔プラスチックフィルム等を用いてもよい。
【００２１】
バックシート３は吸収体４の非肌面側に配され、液不透過性であることが好ましい。バックシート３としては、ポリオレフィン（例えば、ポリプロピレン、ポリエチレン）、ポリエステル（例えば、ＰＥＴ）、ポリアミド（例えば、ナイロン）等の疎水性繊維から形成された不織布や、プラスチックフィルム等を用いることができる。また、バックシート３として、不織布とプラスチックフィルムとの積層体を用いてもよい。バックシート３の非肌面側は、吸収性物品をパンツやショーツ等の下着に取り付けて使用する際の下着対向面となる。
【００２２】
トップシート２やバックシート３として不織布を用いる場合、不織布としては、スパンボンド不織布、エアスルー不織布、ポイントボンド不織布、メルトブロー不織布、エアレイド不織布、ＳＭＳ不織布等を用いることが好ましい。
【００２３】
吸収体４は、尿等の排泄物を吸収できる吸収性材料を含むものであれば特に限定されない。吸収体４としては、例えば、吸収性材料を所定形状に成形した成形体を用いたり、あるいは当該成形体を紙シート（例えば、ティッシュペーパーや薄葉紙）や液透過性不織布シート等の被覆シートで覆ったものを用いることができる。吸収性材料としては、例えば、パルプ繊維等の親水性繊維や、ポリアクリル酸系、ポリアスパラギン酸系、セルロース系、デンプン・アクリロニトリル系等の吸水性樹脂等が挙げられる。また、吸水性材料には、ポリエチレン、ポリプロピレン等のポリオレフィン繊維や、ＰＥＴ等のポリエステル繊維、ポリアミド繊維等の熱融着性繊維が含まれてもよい。これらの熱融着性繊維は、尿等との親和性を高めるために、界面活性剤等により親水化処理がされていてもよい。
【００２４】
吸収性材料は、尿等の吸収速度を高める点から、親水性繊維を含むことが好ましい。また、吸収容量を高める点からは、吸収性材料は吸水性樹脂を含むことが好ましい。従って、吸収体４は親水性繊維（特にパルプ繊維）と吸水性樹脂を含むことが好ましい。この場合、例えば、親水性繊維の集合体に吸水性樹脂を混合または散布したものを用いることが好ましい。
【００２５】
吸収体４は、シート状吸収体であってもよい。シート状吸収体としては、不織布間に吸水性樹脂を有しパルプ繊維を有しないように形成されたものが挙げられる。このように形成されたシート状吸収体は、不織布間に吸水性樹脂を有するため、高い吸収容量を実現できる。また、シート状吸収体は不織布間にパルプ繊維を有しないため、嵩張らず薄型に形成することができる。
【００２６】
吸収体４の形状（平面形状）は特に限定されない。吸収体４の形状は、用途に応じて適宜決定すればよく、例えば、略長方形、砂時計形、ひょうたん形、羽子板形等が挙げられる。
【００２７】
図面では吸収体４とバックシート３との間に繊維シート５が設けられており、繊維シート５により吸収性物品１の形状保持性を向上させることができる。繊維シート５は、クレープ紙や不織布から構成することができる。
【００２８】
トップシート２の幅方向ｘの両側には立ち上がりフラップ６が設けられる。立ち上がりフラップ６により、尿等の横漏れが防止される。立ち上がりフラップ６は、バックシート３に使用可能なシート部材から構成することができ、液不透過性のプラスチックフィルムや液不透過性の不織布から構成されることが好ましい。立ち上がりフラップ６は、前側固定部６Ｆと後側固定部６Ｂとこれらの間の中間部６Ｍを有し、少なくとも中間部６Ｍに前後方向ｙに延びるフラップ弾性部材７が設けられ、前側固定部６Ｆと後側固定部６Ｂがトップシート２に接合されることにより、中間部６Ｍが起立可能に形成される。立ち上がりフラップ６の前側固定部６Ｆと後側固定部６Ｂは、直接または間接的にトップシート２に接合されればよく、これにより前側固定部６Ｆと後側固定部６Ｂが起立しないように形成されていればよい。
【００２９】
立ち上がりフラップ６は、立ち上がる起点となる基部と立ち上がった先端となる自由端を有し、基部と自由端の間にフラップ弾性部材７が設けられる。フラップ弾性部材７は伸張状態で立ち上がりフラップ６に接着剤等で固定されることが好ましく、フラップ弾性部材７の収縮力によって、立ち上がりフラップ６の起立が促進される。立ち上がりフラップ６は、トップシート２の幅方向ｘの両側に、前後方向ｙに延在するサイドシート８を接合し、サイドシート８の幅方向ｘの内方部にフラップ弾性部材７を設けることにより形成することができる。
【００３０】
図面に示した吸収性物品１では、サイドシート８が幅方向ｘの断面でＺ字状に折りたたまれており、折りたたまれたサイドシート８の自由端を含む面にフラップ弾性部材７が取り付けられている。すなわち、立ち上がりフラップ６は、基部から自由端の間で前後方向ｙに延びる折り返し線に沿って折り返されて、折り返し線と自由端の間にフラップ弾性部材７が設けられている。
【００３１】
前側固定部６Ｆと後側固定部６Ｂでは、Ｚ字状に折りたたまれたサイドシート８の各面が相互に接合され、これにより前側固定部６Ｆと後側固定部６Ｂが間接的に（すなわちサイドシート８を介して）トップシート２に固定されている。また、このように前側固定部６Ｆと後側固定部６Ｂにおいてサイドシート８の各面が相互に接合されることにより、Ｚ字状の折りたたみが維持されることが好ましい。図面に示した吸収性物品１では、立ち上がりフラップ６の折り返し線より基部側の部分と自由端側の部分とが前側固定部６Ｆと後側固定部６Ｂにおいて一緒にエンボス処理されており、これによりＺ字状に折りたたまれたサイドシート８の各面が相互に接合されている。
【００３２】
吸収性物品１は、トップシート２の肌面側に粘着部９が設けられ、バックシート３の非肌面側に滑り止め部１０が設けられている。吸収性物品１をパンツやショーツ等の下着の肌面側に設置して装着した際、粘着部９は着用者の肌に面するように設けられ、滑り止め部１０は下着の肌面側に面するように設けられる。
【００３３】
粘着部９は、トップシート２の肌面側において、前側固定部６Ｆの後側端よりも前側および後側固定部６Ｂの前側端よりも後側にそれぞれ設けられ、滑り止め部１０は、バックシート３の非肌面側において、前側固定部６Ｆの後側端よりも後側かつ後側固定部６Ｂの前側端よりも前側に設けられる。吸収性物品１はこのように粘着部９と滑り止め部１０が設けられることにより、着用者の股間に好適に装着することができるとともに、尿等の漏れを効果的に防止できる。すなわち吸収性物品１は、トップシート２の肌面側に設けられた粘着部９によって着用者の股間部の肌に貼り付けることができ、着用者の股間の所望の位置に密着性良く設置することができる。この際、前側固定部６Ｆの後側端よりも前側および後側固定部６Ｂの前側端よりも後側に粘着部９を設けることによって、立ち上がりフラップ６の中間部６Ｍを好適に起立させることができ、尿等の横漏れを効果的に防止することができる。また、粘着部９は排尿部から離れた位置に設けられるため、粘着部９が尿等によって濡れにくくなり、粘着力を長く持続させやすくなる。一方、バックシート３の非肌面側に設けられた滑り止め部１０によって、吸収性物品１をパンツやショーツ等の下着の所定の位置に設置することができ、吸収性物品１が下着からはみ出したりすることを防ぐことができる。また、粘着部ではなく滑り止め部１０をバックシート３の非肌面側に設けることにより、バックシート３と下着との間のずれ応力が大きくなったときに、当該ずれ応力を緩和するように互いの接触位置をずらすことができるため、吸収性物品１や下着に大きな歪みやしわが生じにくくなる。これにより、下着の見栄えを良くすることができるとともに、吸収性物品１の着用者の肌への密着性も高めることができる。
【００３４】
以下において、前側固定部６Ｆの後側端よりも前側に設けられた粘着部を「粘着部９Ｆ」と称し、後側固定部６Ｂの前側端より後側に設けられた粘着部を「粘着部９Ｂ」と称する。また、粘着部９Ｆと粘着部９Ｂをまとめて粘着部９と称する場合がある。
【００３５】
粘着部９は、吸収体４の前側端または後側端と重なって設けられるか、それよりも前後方向ｙの外方に設けられることが好ましい。具体的には、前側固定部６Ｆの後側端よりも前側に設けられる粘着部９Ｆは、吸収体４の前側端と重なって設けられるか、当該前側端よりも前側に設けられ、後側固定部６Ｂの前側端より後側に設けられる粘着部９Ｂは、吸収体４の後側端と重なって設けられるか、当該後側端よりも後側に設けられることが好ましい。このように粘着部９を設けることにより、吸収性物品１を安定して着用者の肌に貼り付けることができる。また、吸収体４のより広い範囲が尿等の吸収に寄与できるものとなる。
【００３６】
吸収性物品１をより安定して着用者の肌に固定する点からは、粘着部９Ｆは吸収体４の前側端と重なって設けられ、粘着部９Ｂは吸収体４の後側端と重なって設けられることが好ましい。吸収性物品１は、吸収体４の前側端と後側端において剛性が不連続的に変化することにより、吸収体４の前側端と後側端に沿って折れ曲がりやすくなる。しかし、粘着部９Ｆを吸収体４の前側端と重なって設け、粘着部９Ｂを吸収体４の後側端と重なって設けることにより、吸収性物品１が吸収体４の前側端と後側端に沿って折れ曲がることを抑えることができる。特に、吸収性物品１を装着する際に吸収性物品１の前後端部の折れ曲がりを防ぐことで、吸収性物品１を着用者の肌に取り付けることが容易になる。
【００３７】
粘着部９Ｆは、１つのみ設けられてもよく、複数設けられてもよい。後者の場合、粘着部９Ｆは、幅方向ｘおよび／または前後方向ｙに複数並んで設けられてもよい。粘着部９Ｂは、１つのみ設けられてもよく、複数設けられてもよい。後者の場合、粘着部９Ｂは、幅方向ｘおよび／または前後方向ｙに複数並んで設けられてもよい。なお、粘着部９Ｆは、前側固定部６Ｆの後側端よりも後側には設けられないことが好ましく、粘着部９Ｂは、後側固定部６Ｂの前側端よりも後側には設けられないことが好ましい。
【００３８】
粘着部９Ｆおよび粘着部９Ｂは、前後方向ｙの長さが５ｍｍ以上であることが好ましく、１０ｍｍ以上がより好ましく、また５０ｍｍ以下が好ましく、４０ｍｍ以下がより好ましく、３０ｍｍ以下がさらに好ましい。粘着部９Ｆ，９Ｂが前後方向ｙに複数並んで設けられる場合は、複数並んで設けられた粘着部９Ｆまたは複数並んで設けられた粘着部９Ｂの全体の前後方向ｙの長さがこのような範囲にあることが好ましい。このように粘着部９を設けることにより、粘着部９の設置面積を減らしつつ、吸収性物品１を着用者の肌に安定して位置固定することができる。
【００３９】
粘着部９Ｆは、幅方向ｘの一方側の前側固定部６Ｆよりも幅方向ｘの内方および幅方向ｘの他方側の前側固定部６Ｆよりも幅方向ｘの内方に設けられることが好ましい。粘着部９Ｂは、幅方向ｘの一方側の後側固定部６Ｂよりも幅方向ｘの内方および幅方向ｘの他方側の後側固定部６Ｂよりも幅方向ｘの内方に設けられることが好ましい。このように粘着部９が設けられることにより、立ち上がりフラップ６の中間部６Ｍが高く立ち上がりやすくなり、尿等の横漏れ防止効果が高まる。
【００４０】
粘着部９Ｆは、吸収性物品１の幅方向ｘの中心には設けられず、幅方向ｘの一方側と他方側に設けられてもよい。粘着部９Ｂは、吸収性物品１の幅方向ｘの中心には設けられず、幅方向ｘの一方側と他方側に設けられてもよい。特に粘着部９Ｂはこのように設けられることが好ましく、これにより吸収性物品１を着用者の臀部に好適に取り付けやすくなる。
【００４１】
バックシート３の非肌面側に設けられる滑り止め部１０は、少なくとも前側固定部６Ｆの後側端よりも後側かつ後側固定部６Ｂの前側端よりも前側に設けられ、前側固定部６Ｆの後側端よりも前側および／または後側固定部６Ｂの前側端よりも後側にも設けられてもよい。滑り止め部１０は粘着部９と重なって設けられてもよいが、この場合、下着の外側からの動きが滑り止め部１０と粘着部９を介して着用者の肌に直接伝わりやすくなり、粘着部９において着用者の肌に無理な力がかかったり、粘着部９が肌から剥がれやすくなる。そのため、滑り止め部１０は粘着部９と重なって設けられないことが好ましい。より好ましくは、滑り止め部１０は粘着部９Ｆよりも後側かつ粘着部９Ｂの前側のみに設けられる。滑り止め部１０はまた、前側固定部６Ｆの後側端よりも後側かつ後側固定部６Ｂの前側端よりも前側のみに設けられることも好ましい。
【００４２】
滑り止め部１０は、前後方向ｙに並んで複数設けられることが好ましい。このように滑り止め部１０を設けることにより、吸収性物品１を前後方向ｙに湾曲させることが容易になり、吸収性物品１の着用者の股間部へのフィット性を高めることができる。前後方向ｙに並んで設けられた各滑り止め部１０は、幅方向ｘに長い形状で、幅方向ｘに連続的に延在することが好ましい。
【００４３】
滑り止め部１０は、前後方向ｙに並んで４個以上設けられることが好ましく、８個以上がより好ましく、１２個以上がさらに好ましい。滑り止め部１０の設置数の上限は特に限定されず、滑り止め部１０は前後方向ｙに並んで例えば６０個以下設けられてもよく、４０個以下、または３０個以下設けられてもよい。１つの滑り止め部１０の前後方向ｙの長さは、滑り止め部１０によるズレ止め効果を高める点から、１ｍｍ以上が好ましく、３ｍｍ以上がより好ましく、５ｍｍ以上がさらに好ましい。一方、吸収性物品１を前後方向ｙにスムーズに湾曲させやすくする点から、１つの滑り止め部１０の前後方向ｙの長さは３０ｍｍ以下が好ましく、２５ｍｍ以下がより好ましく、２０ｍｍ以下がさらに好ましい。滑り止め部１０の幅方向ｘの長さは、２０ｍｍ以上が好ましく、２５ｍｍ以上がより好ましく、３０ｍｍ以上がさらに好ましい。
【００４４】
滑り止め部１０は、吸収体４と重なって設けられることが好ましく、吸収体４よりも幅方向ｘに狭く形成されていることが好ましい。すなわち、滑り止め部１０は、吸収体４の幅方向ｘの一方端および他方端よりも幅方向ｘの外方に延在しないように設けられることが好ましい。このように滑り止め部１０を設けることにより、吸収性物品１の幅方向ｘの両端部の下着の動きへの滑り性が高まる。そのため、吸収性物品１を下着に取り付けた状態で着用者が大腿部を大きく動かしても、吸収性物品１に歪みが生じにくくなる。
【００４５】
吸収体４は、図４に示すように、高剛性部１１と低剛性部１２とを有し、高剛性部１１と低剛性部１２が幅方向ｘに交互に並んで配置されているものであってもよい。このように吸収体４が形成されていれば、吸収性物品１が着用者の両大腿部に挟まれて幅方向ｘの内方に向かう力がかかっても、吸収体４に不規則な折り目が形成されにくくなり、幅方向ｘの内方に向かう力を好適に吸収することができる。例えば吸収性物品１に幅方向ｘの内方に向かう力がかかると、吸収体４が低剛性部１２で撓んで幅方向ｘに狭まることができる。一方、そのような力が吸収体４にかかっても、吸収体４の高剛性部１１は変形が抑えられ、吸収体４全体としては平面性が保たれやすくなる。そのため、吸収体４が大きく歪みにくくなり、吸収性物品１の着用感が向上するとともに、着用者から排泄された尿等が吸収体４によって好適に吸収されやすくなる。
【００４６】
高剛性部１１と低剛性部１２はそれぞれ、吸収体４の前後方向ｙに延在し、高剛性部１１と低剛性部１２が幅方向ｘに交互に並んで配されていることが好ましい。すなわち高剛性部１１と低剛性部１２は、吸収体４の前後方向ｙに延びるストライプ状に配置されている好ましい。高剛性部１１は幅方向ｘに並んで３個以上設けられることが好ましく、また８個以下が好ましく、６個以下がより好ましい。低剛性部１２は幅方向ｘに並んで３個以上設けられることがより好ましく、また９個以下が好ましく、７以個下がより好ましい。なお、高剛性部１１と低剛性部１２はそれぞれ、吸収体４の前後方向ｙの全体にわたって延在していることが好ましい。
【００４７】
高剛性部１１は低剛性部１２よりも相対的に剛性が高く形成されている。高剛性部１１と低剛性部１２は、例えば次のように形成することができる。（１）高剛性部１１の目付を低剛性部１２の目付よりも大きくする、（２）吸収体４が繊維集合体を主成分として含み、高剛性部１１において繊維集合体が圧密される、（３）吸収体４がシート部材の間に吸水性樹脂を有しパルプ繊維を有しないように構成され、高剛性部１１の方が低剛性部１２よりも単位面積当たりの吸水性樹脂の量が多く形成される。
【００４８】
高剛性部１１と低剛性部１２の１つ当たりの幅方向ｘの長さは特に限定されないが、高剛性部１１の幅方向ｘの長さの方が低剛性部１２の幅方向ｘの長さよりも長いことが好ましい。具体的には、高剛性部１１は全て低剛性部１２よりも幅方向ｘの長さが長いことが好ましい。これにより、吸収体４の保形性を高めることができ、吸収体４に幅方向ｘの内方に向かう力がかからない場合に、吸収体４が平面状に形成されやすくなる。高剛性部１１と低剛性部１２の幅方向ｘの長さの比は、高剛性部１１の幅方向ｘの長さ（平均値）／低剛性部１２の幅方向ｘの長さ（平均値）として、５０／５０より大きいことが好ましく、６０／４０以上がより好ましく、また９５／５以下が好ましく、９０／１０以下がより好ましく、８５／１５以下がさらに好ましい。
【００４９】
上記のように吸収体４が形成される場合、滑り止め部１０は、複数の高剛性部１１に跨がって設けられることが好ましい。上記に説明したように、吸収性物品１は幅方向ｘの内方に向かう力がかかると、吸収体４が低剛性部１２で撓みやすくなるが、滑り止め部１０が複数の高剛性部１１に跨がって設けられることにより、吸収性物品１に幅方向ｘへの剛性が付与され、吸収性物品１の幅方向ｘの内方に向かう力が解除されると、吸収性物品１がもとの平面状に広がりやすくなる。また、高剛性部１１では滑り止め部１０と下着との接触が維持され、滑り止め部１０が当初の下着の固定位置に維持されやすくなる。滑り止め部１０は、吸収体４の幅方向ｘの一方端に最も近い高剛性部１１と吸収体４の幅方向ｘの他方端に最も近い高剛性部１１とに跨がって設けられることがより好ましい。
【００５０】
吸収体４は、不織布間に吸水性樹脂を有しパルプ繊維を有しないように構成されたシート状吸収体であってもよい。この場合、吸収体４は、複数層のシート部材を有し、シート部材の間に吸水性樹脂が配され、パルプ繊維が配されないように構成される。なお、シート部材間には、製造上不可避的に混入するパルプ繊維の存在は許容される。このように吸収体４が構成されることにより、吸収体４を高い吸収容量を有しつつ薄型に形成することができる。
【００５１】
シート部材は液透過性であり、トップシート２に使用可能なシート部材を用いることができる。シート部材としては、不織布製シート部材、すなわち不織布シートを用いることが好ましい。
【００５２】
吸収体４は、シート部材どうしが接合された封止部と、シート部材どうしが接合されない非封止部とを有し、非封止部に吸水性樹脂が配されることが好ましい。封止部は、シート部材どうしを接着剤で接合したり、溶着（ヒートシールや超音波溶着等）することにより形成される。非封止部は、シート部材どうしが接合されない部分として規定され、封止部以外の部分が非封止部に相当する。封止部には吸水性樹脂が配されなくてもよいが、少量の吸水性樹脂が存在する場合もありうる。このように吸収体４が構成されることにより、封止部において尿等の拡散性が高められるとともに、非封止部において尿等が好適に吸収されることにより、吸収体４の吸収性能を高めることができる。この場合、吸収体４のより広い範囲が尿等の吸収に寄与できるようにする点から、尿等は前後方向ｙへの拡散性が高められることが好ましく、従って、封止部と非封止部は吸収体４の前後方向ｙに延在し、幅方向ｘに交互に並んで配されることが好ましい。
【００５３】
上記のように構成された吸収体４においては、吸水性樹脂が基本的に非封止部に配されることにより、非封止部の剛性が封止部の剛性よりも高くなる。そのため、非封止部が高剛性部として機能し、封止部が低剛性部として機能することができる。封止部と非封止部の配置等の詳細や封止部と非封止部と滑り止め部や粘着部との関係の詳細は、上記の説明において、「高剛性部」を「非封止部」と読み替え、「低剛性部」を「封止部」と読み替えることにより、参照される。
【００５４】
滑り止め部１０は樹脂層から構成することができる。樹脂層は弾性（詳細には、人が手で扱う程度の力で発揮される弾性）を有することが好ましく、エラストマー樹脂から構成されることが好ましい。エラストマー樹脂としては、例えば、ウレタン樹脂、シリコーン樹脂、スチレン系樹脂（例えば、スチレン−ブタジエン共重合体（ＳＢＲ）、スチレン−イソプレン−スチレンブロック共重合体（ＳＩＳ）、スチレン−ブタジエン−スチレンブロック共重合体（ＳＢＳ）、スチレン−エチレン−ブタジエン−スチレンブロック共重合体（ＳＥＢＳ）、スチレン−エチレン−プロピレン−スチレンブロック共重合体（ＳＥＰＳ）等）、アクリル樹脂、α−オレフィン樹脂、ブタジエン樹脂、塩化ビニル樹脂、酢酸ビニル樹脂、天然ゴム等が挙げられる。
【００５５】
樹脂層は、実質的に非着性であることが好ましく、例えば粘着付与成分の含有率が５質量％以下であることが好ましく、３質量％以下がより好ましく、１質量％以下がさらに好ましい。接着剤には、接着性や粘着性を発揮させるために、粘着付与成分が通常１０質量％以上含まれているが、滑り止め部１０の樹脂層にはそのような粘着付与成分が多く含まれないことが好ましい。粘着付与成分としては、ロジン系樹脂、テルペン系樹脂、ジシクロペンタジエン樹脂、Ｃ５系またはＣ９系炭化水素樹脂、脂環族系炭化水素樹脂等が挙げられる。
【００５６】
滑り止め部１０は、バックシート３の非肌面側の表面から盛り上がって形成されていることが好ましい。滑り止め部１０の高さ（バックシート３の非肌面側の表面からの高さ）は、例えば０．１ｍｍ以上が好ましく、０．２ｍｍ以上がより好ましく、０．３ｍｍ以上がさらに好ましく、また３．０ｍｍ以下が好ましく、２．０ｍｍ以下がより好ましく、１．０ｍｍ以下がさらに好ましい。
【００５７】
滑り止め部１０は、デュロメーター硬さＡが９０以下が好ましく、８０以下がより好ましく、７０以下がさらに好ましく、また２０以上が好ましく、２５以上がより好ましく、３０以上がさらに好ましい。これにより、滑り止め部１０による位置固定効果やズレ止め効果が好適に発揮されやすくなる。デュロメーター硬さＡはＪＩＳ  Ｋ  ６２５３−３（２０１２）に準拠して測定する。
【００５８】
滑り止め部１０は、剥離接着強さが０．１Ｎ未満であることが好ましく、０．０５Ｎ未満がより好ましく、０．０３Ｎ未満がさらに好ましい。滑り止め部１０の剥離接着強さは、次の方法に従って測定する。ＪＩＳ  Ｋ  ６８５４−２（１９９９）「接着剤−剥離接着強さ試験方法（１８０度剥離）」に準じて、剥離力の積分平均荷重を測定し、１０回の試験の平均値を剥離接着強さとして用いる。ただし、剥離速度（つかみ移動速度）は３００ｍｍ／分で行う。測定に用いる試験片は、滑り止め部が設けられた部分（滑り止め部は複数並んで設けられていてもよい）のバックシートを１００ｍｍ×１０ｍｍの大きさで切り出し、当該バックシートを１５０ｍｍ×２５ｍｍの大きさの基材に貼り付け、これに基材と同じ大きさのカナキン３号綿布を重ね合わせて調製する。なお、切り出したバックシートは、滑り止め部と反対側の面を基材に貼り付け、滑り止め部が設けられた面にカナキン３号綿布を重ね合わせる。カナキン３号綿布は、ＪＩＳ  Ｌ  ０８０３「染色堅ろう度試験」に用いられるものを使用する。滑り止め部が設けられた部分のバックシートが１００ｍｍ×１０ｍｍの大きさに満たない場合は、複数を繋ぎ合わせて１００ｍｍ×１０ｍｍの大きさに形成する。滑り止め部が設けられたバックシートとカナキン３号綿布は、ローラー（テスター産業株式会社製、ＳＡ−１００３−Ｂ、荷重２ｋｇｆ、幅４５ｍｍ、直径９５ｍｍ）を３往復させることにより貼り合わせ、試験片を調製する。
【００５９】
粘着部９は、公知の粘着剤から構成することができ、その種類は特に限定されない。粘着部９は、粘着付与成分を１０質量％以上含有することが好ましく、１５質量％以上がより好ましく、２０質量％以上がさらに好ましい。粘着部９は、上記に説明した剥離接着強さが０．２Ｎ以上であることが好ましく、０．３Ｎ以上がより好ましく、０．４Ｎ以上がさらに好ましい。
【００６０】
粘着部９は、白色以外に着色されていてもよい。これにより粘着部９の視認性が高まり、着用者は、粘着部９を見ながら、股間部の肌の所望の位置に貼り付けることが容易になる。
【００６１】
吸収性物品１は、前後方向ｙに３つ折りされて折り畳まれたものであってもよい。図５には、前後方向に３つ折りされる吸収性物品を肌面側から見た平面図を示し、図６には、図５に示した吸収性物品を非肌面側から見た平面図を示した。
【００６２】
吸収性物品１が前後方向ｙに３つ折りされる場合、吸収性物品１は、肌面側を内側にして、幅方向ｘに延びる第１の折り目Ｆ１とそれより後側に位置する第２の折り目Ｆ２で折り返されることが好ましい。この場合、粘着部９は、第１の折り目Ｆ１よりも前側および第２の折り目Ｆ２よりも後側にそれぞれ設けられることが好ましい。このように折り畳まれた吸収性物品１は、吸収性物品１の折り畳みを展開して着用者の股間に取り付ける際、第１の折り目Ｆ１と第２の折り目Ｆ２の折り癖によって、吸収性物品１の第１の折り目Ｆ１よりも前側の部分および第２の折り目Ｆ２よりも後側の部分が着用者の肌に向かって立ち上がりやすくなる。そのため、当該部分に粘着部９を設けることにより、粘着部９によって吸収性物品１を着用者の肌に好適に取り付けやすくなる。この場合、前側固定部６Ｆの後側端は第１の折り目Ｆ１よりも前側に位置し、後側固定部６Ｂの前側端は第２の折り目Ｆ２よりも後側に位置することが好ましい。
【００６３】
上記のように吸収性物品１が前後方向ｙに３つ折りされる場合、滑り止め部１０は、少なくとも第１の折り目Ｆ１と第２の折り目Ｆ２の間に設けられることが好ましい。滑り止め部１０は、第１の折り目Ｆ１よりも前側および／または第２の折り目Ｆ２よりも後側にも設けられてもよいが、滑り止め部１０は粘着部９からある程度離れて設けられることが、粘着部９において着用者の肌に無理な力がかかりにくくなる点から好ましい。従って、滑り止め部１０は、第１の折り目Ｆ１と第２の折り目Ｆ２の間のみに設けられることが好ましい。
【００６４】
滑り止め部１０は、第１の折り目Ｆ１またはその近傍および第２の折り目Ｆ２またはその近傍に少なくとも設けられることが好ましい。具体的には、滑り止め部１０は、第１の折り目Ｆ１から前後方向ｙに１０ｍｍ以内の領域に設けられるとともに、第２の折り目Ｆ２から前後方向ｙに１０ｍｍ以内の領域に設けられることが好ましい。第１の折り目Ｆ１とその近傍および第２の折り目Ｆ２とその近傍では、折り畳まれた吸収性物品１を展開した際に、当該部分で吸収性物品１が下着と接しやすくなる。従って、第１の折り目Ｆ１またはその近傍および第２の折り目Ｆ２またはその近傍に滑り止め部１０を設けることにより、吸収性物品１をパンツやショーツ等の下着の所定の位置に固定させやすくなる。
【００６５】
吸収性物品１の保形性を高める点から、吸収体４とバックシート３の間には繊維シート５が設けられ、繊維シート５は吸収体４の前側端よりも前側に延在し、かつ吸収体４の後側端よりも後側に延在していることが好ましい。これにより、吸収性物品１の吸収体４が存在しない前後端部における剛性を高めることができる。そのため、吸収性物品１を装着する際に、吸収性物品１の前後端部の折れ曲がりを防ぎ、吸収性物品１を安定して着用者の肌に取り付けることができる。吸収性物品１の前後端部の剛性をより高める点から、繊維シート５は、トップシート２とバックシート３よりも目付が大きいことが好ましい。繊維シート５の目付は、例えば３０ｇ／ｍ2〜６０ｇ／ｍ2とすることが好ましい。
【００６６】
繊維シート５は、粘着部９Ｆよりも前側に延在し、粘着部９Ｂよりも後側に延在していることが好ましい。特に、粘着部９が吸収体４の前側端または後側端と重なって設けられるか、それよりも前後方向ｙの外方に設けられる場合は、そのように繊維シート５が設けられることが好ましい。これにより、吸収性物品１が粘着部９の前側端または後側端に沿って折れ曲がりにくくなり、吸収性物品１を装着する際に、粘着部９を着用者の肌に安定して取り付けやすくなる。
【符号の説明】
【００６７】
１：吸収性物品
２：トップシート
３：バックシート
４：吸収体
５：繊維シート
６：立ち上がりフラップ、６Ｆ：前側固定部、６Ｍ：中間部、６Ｂ：後側固定部
７：起立用弾性部材
８：サイドシート
９： 粘着部
１０：滑り止め部
１１：高剛性部
１２：低剛性部
【図１】
2020156578.tif 000003
【図２】
2020156578.tif 000004
【図３】
2020156578.tif 000005
【図４】
2020156578.tif 000006
【図５】
2020156578.tif 000007
【図６】
2020156578.tif 000008